(57)【要約】【課題】本発明は、配線覆い２の取り付け、取り外し作業が容易で、確実に配線を被覆することのできる分電盤の配線覆い取り付け方法を提供することを目的としている。【解決手段】配線覆い２の下部箱体側には挿入ピン４ａを形成した取り付け金具４を設けると共に、箱体本体１には挿入ピン４ａを支持可能である下側受け金具３を取り付け、配線覆い２を箱体本体１に対向させ、挿入ピン４ａを下側受け金具３に挿入して配線覆い２を箱体本体１に取り付けることを特徴とする。【選択図】        図１
2004273840.tif 000002
【特許請求の範囲】
【請求項１】
箱体本体に各種電気機器を収納して成る分電盤において、前記電気機器や配線等を被覆する配線覆いの取り付け方法であって、前記配線覆いの下部箱体側には挿入ピンを形成した取り付け金具を設けると共に、前記箱体本体には挿入ピンを支持可能である下側受け金具を取り付け、前記配線覆いを前記箱体本体に対向させ、前記挿入ピンを下側受け金具に挿入して前記配線覆いを前記箱体本体に取り付けることを特徴とする配線覆いの取り付け方法。
【請求項２】
前記配線覆いの取り付け方法であって、前記配線覆いの上部には表面に設けたつまみによって動作する係止部を取り付け、前記箱体本体には前記係止部が係止可能である上側受け金具を設けたことを特徴とする請求項１に記載の配線覆いの取り付け方法。
【発明の詳細な説明】
【０００１】
【発明の属する技術分野】
箱体本体に各種電気機器を収納して成る分電盤において、前記電気機器や配線等を被覆する配線覆いの取り付け方法に関する。
【０００２】
【従来の技術】
従来の分電盤に取り付けられる配線覆いは回動動作により開閉可能に取り付けられることが多い。また、パイプシャフト室や電気設備専用室等、配線覆いを回動動作により開閉するスペースが十分に取れない場合には、つまみを有するねじで配線覆いの四隅を指で回して取り付けていた（例えば特許文献１参照。）。
【０００３】
【特許文献１】
実開平７−２０００８号公報
【０００４】
【発明が解決しようとする課題】
しかしながら上記従来技術における分電盤の配線覆い取り付け方法では、取り付け取り外しの際に、ねじを指で何度も回さなくてはならないため、大変手間がかかっていた。配線覆いの固定がねじのみで行われるため位置決めが難しく、配線覆いが大きい場合には、一人での取り付け作業が非常に困難であった。また、配線覆いには内部機器を露出させるための開口が設けられているが、ねじを取り付けるための取り付け穴には多少のクリアランスがあり、取り付け方によっては、開口と機器が対向しなかったり、配線覆いが固定できないという欠点があった。
【０００５】
【課題を解決するための手段】
そこで本発明は、配線覆いの取り付け、取り外し作業が容易で、確実に配線を被覆することのできる分電盤の配線覆い取り付け方法を提供することを目的とし、その構造は、配線覆いの下部箱体側には挿入ピンを形成した取り付け金具を設けると共に、箱体本体には挿入ピンを支持可能である下側受け金具を取り付け、配線覆いを箱体本体に対向させ、挿入ピンを下側受け金具に挿入して配線覆いを箱体本体に取り付けることを特徴とする。
【０００６】
また、配線覆いの上部には表面に設けたつまみによって動作する係止部を取り付け、箱体本体には係止部が係止可能である上側受け金具を設けたことを特徴とする。
【０００７】
【発明の実施の形態】
本発明に係る分電盤の配線覆い取り付け方法は、分電盤の箱体には上側受け部と、下側受け部とを設け、配線覆いには、下側受け部に挿入可能である挿入ピンを形成した取り付け金具と、上側受け金具に係止する係止具を設ける。係止具は配線覆いの表面にはつまみが出ており、裏面には上側受け金具に対向する位置に係止部を設け、つまみの動作により、係止部が上側受け金具に係止するようになっている。下側受け部に配線覆いの挿入ピンを挿入し、係止具を上側受け金具に係止させて、配線覆いを箱体本体に取り付ける。
【０００８】
【実施例】
本発明に係る分電盤の配線覆い取り付け方法の実施例を図１〜図２の添付図面に基づいて説明する。
【０００９】
本発明の請求項１に係る分電盤の配線覆い取り付け構造では、箱体本体１にブレーカ等の電気機器を載置し電気機器間に配線を施した分電盤において、箱体本体１の開口１ａには配線覆い２を取り付け、電気機器や配線を被覆する。箱体本体開口１ａ周縁の下側には、下側受け金具３を設ける。下側受け金具３は挿入穴３ａを有し、配線覆い２を仮止め支持可能である形状である。配線覆い２の、下側受け金具３に対向する位置には、挿入ピン４ａが形成された取り付け金具４を配線覆い２の裏面よりねじ止めにより固定する。
【００１０】
配線覆い２の取り付け方法は、配線覆い２に設けられた取り付け金具４の挿入ピン４ａを下側受け金具３の挿入穴３ａに挿入し、配線覆い２の位置決めをし、支持させる。そのまま、配線覆い２の上側も押して開口１ａに対向させて固定する。
【００１１】
本発明の請求項２に係る分電盤の配線覆い取り付け構造では、箱体本体開口１ａ周縁の上側には、上側受け金具５を設ける。上側受け金具５は例えば係止穴５ａが形成されたもので、一方、配線覆い２には、箱体本体１に設けられた上側受け金具５に対向する位置には係止具６を設ける。係止具６はつまみ６ａが配線覆い２の表面にあり、配線覆い２の裏面には係止部６ｂが設けられ、つまみ６ａを動作させることにより係止部６ｂが上側受け金具５に係止可能となっている。
【００１２】
配線覆い２の取り付け方法は、配線覆い２に設けられた取り付け金具４の挿入ピン４ａを下側受け金具３の挿入穴３ａに挿入し、配線覆い２の位置決めをし、支持させる。そのまま、配線覆い２の上側も押して、配線覆い２の表面のつまみ６ａを動作させて係止部６ｂを箱体本体１の上側受け金具５に係止させ、固定する。
【００１３】
配線覆い２の取り外し方法は、配線覆い２に設けられたつまみ６ｂをもって係止具６ａの上側受け金具５に対する係止を解除し、配線覆い２をそのまま持ち上げて、挿入ピン４ａを下側受け金具３から引き抜く。
【００１４】
本発明に係る配線覆いの取り付け方法は、上記方法のみに限定されるものではなく、例えば、配線覆いの取り付け金具はねじ止めでなく、溶接等の方法によるものなど、本発明の趣旨を逸脱しない範囲において適宜変更可能である。
【００１５】
また、本発明において使用する取り付け金具や、係止具は、配線覆いが回動動作によって開閉可能である回転扉式のものの場合にも使用できるような形状にしても良い。例えば、取り付け金具は、上下両側に挿入ピンを形成し、箱体本体側に蝶番受け金具を取り付け、蝶番受け金具に挿入ピンを挿入し蝶番として回転させて用いる。また、係止具は、回転扉式の配線覆いの蝶番側でない配線覆いを固定するための部品と共用できる。
【００１６】
【発明の効果】
以上述べたように、本発明に係る配線覆いの取り付け方法は、配線覆いの下部箱体側には挿入ピンを形成した取り付け金具を設けると共に、箱体本体には挿入ピンを支持可能である下側受け金具を取り付け、配線覆いを箱体本体に対向させ、挿入ピンを下側受け金具に挿入して配線覆いを箱体本体に取り付けるため、配線覆いの取り付け作業の際、配線覆いを空中に浮かせて保持する必要がなく、容易に取り付けられ、一人の作業者でも行える。配線覆いの取り付け時に位置決めが確実にできる。ねじが表面に露出せず、美観を保つことができる。
【００１７】
また、配線覆いの上部には表面に設けたつまみによって動作する係止部を取り付け、箱体本体には係止部が係止可能である上側受け金具を設けたため、ねじ締めによる固定に比べると、ねじを何回も回転させる手間もなく配線覆いを斜め上方に引き抜くだけで簡単に取り外すことができ、取り付け取り外しの作業が容易になる。
【図面の簡単な説明】
【図１】本発明に係る分電盤の配線覆い取り付け方法を示す分解斜視図である。
【図２】図１におけるＡ視断面図である。
【図３】図１におけるＢ視拡大図である。
【符号の説明】
１      箱体本体
１ａ    開口
２      配線覆い
３      下側受け金具
３ａ    挿入穴
４      取り付け金具
４ａ    挿入ピン
５      上側取り付け金具
６      係止具
６ａ    つまみ
６ｂ    係止部
【図１】
2004273840.tif 000003
【図２】
2004273840.tif 000004
【図３】
2004273840.tif 000005